【手続補正書】
【提出日】平成16年8月18日(2004.8.18)
【手続補正１】
【補正対象書類名】明細書
【補正対象項目名】特許請求の範囲
【補正方法】変更
【補正の内容】
【特許請求の範囲】
【請求項１】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、
を含み、前記溶媒系が２種またはそれ以上の溶媒を含む、ＬyＭ（ＣＯ）zの式の化合物を調製する方法。
【請求項２】
前記溶媒系が、飽和又は不飽和炭化水素、芳香族炭化水素、ハロゲン化炭化水素、シリル化炭化水素、エーテル、ポリエーテル、チオエーテル、エステル、ラクトン、アミド、アミン、ポリアミン、ニトリル、シアネート、イソシアネート、チオシアネート、シリコーン油、アルデヒド、ケトン、ジケトン、カルボン酸、アルコール、チオール、及びこれらのうちの１又は複数の混合物の群より選択される溶媒を含む、請求項１に記載の方法。
【請求項３】
前記溶媒系が、トルエン、キシレン、置換ベンゼン、ヘプタン、オクタン、ノナン、及びこれらの組み合わせの群より選択される少なくとも１種の溶媒を含む、請求項２に記載の方法。
【請求項４】
式Ｉの錯体を９０％超の収率で調製する、請求項１に記載の方法。
【請求項５】
式Ｉの錯体を９５％超の収率で調製する、請求項４に記載の方法。
【請求項６】
式Ｉの錯体を９９％超の収率で調製する、請求項４に記載の方法。
【請求項７】
式Ｉの錯体を、３６時間以下の時間で９０％超の収率で調製する、請求項１に記載の方法。
【請求項８】
式Ｉの錯体を、２４時間以下の時間で９０％超の収率で調製する、請求項７に記載の方法。
【請求項９】
それぞれのＬが独立に、ホスフィン、ホスフィット、アミン、アルシン、スチベン、エーテル、スルフィド、アルキリデン、ニトリル、イソニトリル、チオカルボニル、直鎖の
、枝分かれした又は環状のモノアルケン、直鎖の、枝分かれした又は環状のジエン、直鎖の、枝分かれした又は環状のトリエン、２環式アルケン、２環式ジエン、２環式トリエン、３環式アルケン、３環式ジエン、３環式トリエン、及びアルキンの群より選択される、請求項１に記載の方法。
【請求項１０】
Ｌが独立に、直鎖の、枝分かれした又は環状のジエン、２環式ジエン、３環式ジエン、及びそれらの組み合わせの群より選択される、請求項９に記載の方法。
【請求項１１】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、
を含み、前記溶媒系が、トルエン、キシレン、置換ベンゼン、ヘプタン、オクタン、ノナン、及びこれらの組み合わせの群より選択される少なくとも１種の溶媒を含み、且つ式Ｉの錯体を９０％超の収率で調製する、ＬyＭ（ＣＯ）zの式の化合物を調製する方法。
【請求項１２】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、
を含み、前記溶媒系が、トルエン、キシレン、置換ベンゼン、ヘプタン、オクタン、ノナン、及びこれらの組み合わせの群より選択される少なくとも１種の溶媒を含み、且つ式Ｉの錯体を、３６時間以下の時間で９０％超の収率で調製する、ＬyＭ（ＣＯ）zの式の化合物を調製する方法。
【請求項１３】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、
を含み、式Ｉの錯体を、２４時間以下の時間で９５％超の収率で調製する、ＬyＭ（ＣＯ）zの式の化合物を調製する方法。
【請求項１４】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、不活性雰囲気において、大気圧下における沸点がベンゼンよりも高い溶媒系中で中性配位子と反応させること、
を含み、前記溶媒系が２種またはそれ以上の溶媒を含む、ＬyＭ（ＣＯ）zの式の化合物を調製する方法。
【請求項１５】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、
を含み、前記溶媒系が２種またはそれ以上の溶媒を含み、且つ前記中性配位子が、Ｒｕ3（ＣＯ）12又はＯｓ3（ＣＯ）12に対して２０倍までの過剰量で存在している、ＬyＭ（ＣＯ）zの式の化合物を調製する方法。
【請求項１６】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、ＣＯ存在下において、大気圧下における沸点
がベンゼンよりも高い溶媒系中で中性配位子と反応させること、
を含み、前記溶媒系が２種またはそれ以上の溶媒を含み、且つ前記中性配位子が、Ｒｕ3（ＣＯ）12又はＯｓ3（ＣＯ）12に対して２０倍までの過剰量で存在している、ＬyＭ（ＣＯ）zの式の化合物を調製する方法。
【請求項１７】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、
を含み、式Ｉの錯体を、９９％超の収率で調製する、ＬyＭ（ＣＯ）zの式の化合物を調製する方法。
【請求項１８】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、
を含み、前記溶媒系が、トルエン、キシレン、置換ベンゼン、ヘプタン、オクタン、ノナン、及びこれらの組み合わせの群より選択される少なくとも１種の溶媒を含み、且つ式Ｉの錯体を、９９％超の収率で調製する、ＬyＭ（ＣＯ）zの式の化合物を調製する方法。
【請求項１９】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、
を含み、前記溶媒系が、トルエン、キシレン、置換ベンゼン、ヘプタン、オクタン、ノナン、及びこれらの組み合わせの群より選択される少なくとも１種の溶媒を含み、且つ式Ｉの錯体を、３６時間以下の時間で、９５％超の収率で調製する、ＬyＭ（ＣＯ）zの式の化合物を調製する方法。
【請求項２０】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、
を含み、式Ｉの錯体を、２４時間以下の時間で、９９％超の収率で調製する、ＬyＭ（ＣＯ）zの式の化合物を調製する方法。
【請求項２１】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させること、ならびに
減圧下において、溶媒系、および未反応の配位子を除去することにより、式Ｉの錯体を単離すること
を含むＬyＭ（ＣＯ）zの式の化合物を調製する方法。
【請求項２２】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させることを含み、
前記中性配位子が、Ｒｕ3（ＣＯ）12又はＯｓ3（ＣＯ）12に対して少なくとも３倍の過剰量で存在し、且つ反応はＣＯ存在下で行われる、ＬyＭ（ＣＯ）zの式の化合物を調製す
る方法。
【請求項２３】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させて反応混合物を用意すること、および
前記反応物を減圧蒸留すること
を含むＬyＭ（ＣＯ）zの式の化合物を調製する方法。
【請求項２４】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中で中性配位子と反応させることを含み、
前記中性配位子が、Ｒｕ3（ＣＯ）12又はＯｓ3（ＣＯ）12に対して２０倍までの過剰量で存在している、ＬyＭ（ＣＯ）zの式の化合物を調製する方法。
【請求項２５】
ＬyＭ（ＣＯ）zの式Ｉの化合物（ＭはＲｕ又はＯｓ、それぞれのＬは独立に中性の配位子、ｙ＝１〜４、且つｚ＝１〜５）を調製する方法であって、
Ｒｕ3（ＣＯ）12又はＯｓ3（ＣＯ）12を、大気圧下における沸点がベンゼンよりも高い溶媒系中において、ＣＯ存在下で、中性配位子と反応させることを含む、ＬyＭ（ＣＯ）zの式の化合物を調製する方法。
【請求項２６】
物質の表面に金属含有フィルムを作製する方法であって、
Ｒｕ3（ＣＯ）12又はＯｓ3（ＣＯ）12を、２種またはそれ以上の溶媒を含み、かつ大気圧下における沸点がベンゼンよりも高い溶媒系中において、中性配位子と反応させることを含む方法により、ＬyＭ（ＣＯ）zの式Ｉの化合物（ＭはＲｕ又はＯｓ、それぞれのＬは独立に中性の配位子、ｙ＝１〜４、且つｚ＝１〜５）を調製すること、および
化学気相堆積技術を利用して式Ｉの化合物を分解すること
を含む方法。
【請求項２７】
物質の表面に金属含有フィルムを作製する方法であって、
Ｒｕ3（ＣＯ）12又はＯｓ3（ＣＯ）12を、大気圧下における沸点がベンゼンよりも高い溶媒系中において、ＣＯ存在下で、中性配位子と反応させることを含む方法により、ＬyＭ（ＣＯ）zの式Ｉの化合物（ＭはＲｕ又はＯｓ、それぞれのＬは独立に中性の配位子、ｙ＝１〜４、且つｚ＝１〜５）を調製すること、および
化学気相堆積技術を利用して式Ｉの化合物を分解すること
を含む方法。
【請求項２８】
物質の表面に金属含有フィルムを作製する方法であって、
Ｒｕ3（ＣＯ）12又はＯｓ3（ＣＯ）12を、大気圧下における沸点がベンゼンよりも高い溶媒系中において、中性配位子と反応させることを含む方法により、ＬyＭ（ＣＯ）zの式Ｉの化合物（ＭはＲｕ又はＯｓ、それぞれのＬは独立に中性の配位子、ｙ＝１〜４、且つｚ＝１〜５）を、９０％超の収率で調製すること、および
化学気相堆積技術を利用して式Ｉの化合物を分解すること
を含む方法。
【請求項２９】
物質の表面に金属含有フィルムを作製する方法であって、
Ｒｕ3（ＣＯ）12又はＯｓ3（ＣＯ）12を、大気圧下における沸点がベンゼンよりも高い溶媒系中において、中性配位子と反応させることを含む方法により、ＬyＭ（ＣＯ）zの式Ｉの化合物（ＭはＲｕ又はＯｓ、それぞれのＬは独立に中性の配位子、ｙ＝１〜４、且つ
ｚ＝１〜５）を調製すること、
前記溶媒系および未反応の配位子を減圧下で除去することにより式Ｉの化合物を単離すること、および
化学気相堆積技術を利用して式Ｉの化合物を分解すること
を含む方法。
【請求項３０】
物質の表面に金属含有フィルムを作製する方法であって、
Ｒｕ3（ＣＯ）12又はＯｓ3（ＣＯ）12を、大気圧下における沸点がベンゼンよりも高い溶媒系中において、中性配位子と、不活性雰囲気下で反応させて得られる反応混合物を減圧蒸留することを含む方法により、ＬyＭ（ＣＯ）zの式Ｉの化合物（ＭはＲｕ又はＯｓ、それぞれのＬは独立に中性の配位子、ｙ＝１〜４、且つｚ＝１〜５）を調製すること、および
化学気相堆積技術を利用して式Ｉの化合物を分解すること
を含む方法。
【請求項３１】
物質の表面に金属含有フィルムを作製する方法であって、
Ｒｕ3（ＣＯ）12又はＯｓ3（ＣＯ）12を、大気圧下における沸点がベンゼンよりも高い溶媒系中において、Ｒｕ3（ＣＯ）12又はＯｓ3（ＣＯ）12に対して２０倍までの過剰量で存在している中性配位子と、不活性雰囲気下で反応させることを含む方法により、ＬyＭ（ＣＯ）zの式Ｉの化合物（ＭはＲｕ又はＯｓ、それぞれのＬは独立に中性の配位子、ｙ＝１〜４、且つｚ＝１〜５）を調製すること、および
化学気相堆積技術を利用して式Ｉの化合物を分解すること
を含む方法。
【手続補正２】
【補正対象書類名】明細書
【補正対象項目名】００１１
【補正方法】変更
【補正の内容】
【００１１】
式Ｉの化合物の調製のために適当な配位子Ｌは、中性の配位子を含む。そのような配位子の例としては、ホスフィン（Ｒ3Ｐ）、ホスフィット（（ＲＯ）3Ｐ）、アミン（Ｒ3Ｎ）、アルシン（Ｒ3Ａｓ）、スチベン（ｓｔｉｂｅｎｅｓ）（Ｒ3Ｓｂ）、エーテル（Ｒ2Ｏ）、スルフィド（Ｒ2Ｓ）、ニトリル（ＲＣＮ）、イソニトリル（ＲＮＣ）、チオカルボニル（ＣＳ）、モノアルケン（直鎖の、枝分かれした、又は環状のもの）、ジエン（直鎖の、枝分かれした、又は環状のもの）、トリエン（直鎖の、枝分かれした、又は環状のもの）、２環式アルケン、２環式ジエン、２環式トリエン、３環式アルケン、３環式ジエン、３環式トリエン、及びアルキンを挙げることができる。それぞれの不飽和配位子（モノアルケン、ジエン、トリエン、アルキン等）の構造は未知であるが、これらは主炭素鎖に結合したＲ基も有する。このＲ基は、水素、ハロゲン（特にフッ素）、又は飽和若しくは不飽和の有機基でよい。有機Ｒ基は、好ましくは約１〜約８の炭素原子、より好ましくは約１〜約２の炭素原子を有する。不飽和配位子は、好ましくは約４〜約８の炭素原子、より好ましくは約６〜約８の炭素原子を有する。好ましくは前記中性配位子は、直鎖の、枝分かれした、又は環状のジエン、２環式ジエン、３環式ジエン、及びそれらの組み合わせの群より選択される。